(57)【要約】      （修正有）【課題】カップリングの脱着操作のし難い狭い場所や、手の届き難い場所に設置されていても、脱着を容易に、しかも確実に脱着操作を行うことが出来るカップリング用脱着治具を提供する。【解決手段】カップリング用脱着治具本体６は、中心部に流体流通孔７ｘを備えた連結操作ロッド７と、この連結操作ロッド７のホース側カップリング４の連結側の外周面に着脱可能に取付けた接続解除手段５とで構成されている。【選択図】図１
2005233254.tif 000002
【特許請求の範囲】
【請求項１】
ホースの一端側に取付けられた分離・接続可能なプッシュプル式のホース側カップリングを着脱可能に連結し、前記ホース側カップリングを引っ張る方向に操作して燃料タンク側に取付けられたバルクヘッド側カップリングから分離させるカップリング用脱着治具であって、
前記治具本体は、中心部に流体流通孔を備え、かつ両端にバルクヘッド側カップリングと着脱可能に連結する連結部と流体供給側の供給手段に連結する連結部とを備えた連結操作ロッドと、この連結操作ロッドの前記ホース側カップリングの外周面に着脱可能に取付け可能で、かつ前記バルクヘッド側カップリングと連結操作ロッドとの接続解除手段とで構成したことを特徴とするカップリング用脱着治具。
【請求項２】
前記接続解除手段が、操作ハンドル機構、把持機構、プッシュボタン機構の何れか一つにより構成した請求項１に記載のカップリング用脱着治具。
【請求項３】
前記操作ハンドル機構の一部に、該操作ハンドルのロック手段を設けた請求項２に記載のカップリング用脱着治具。
【請求項４】
前記連結操作ロッドの外周面に、回転操作用の切欠部を形成した請求項１，２または３に記載のカップリング用脱着治具。
【発明の詳細な説明】
【技術分野】
【０００１】
この発明は、流体供給用ホース等の一端に設けられたホース側カップリングとタンク等に取付けられたバルクヘッド側カップリングとを脱着操作するカップリング用脱着治具にかかわり、更に詳しくはホース用カップリングの脱着操作のし難い狭い場所でも容易に脱着操作を行うことが出来るカップリング用脱着治具に関するものである。
【背景技術】
【０００２】
従来、車輛や航空機等の燃料タンクに燃料供給部から燃料を補給する場合に、例えば、燃料タンクの給油口に設けられたバルクヘッド側カップリングに、燃料供給部に接続された給油ホースの一端に取付けられホース側カップリングを接続させて給油を行うためのプッシュプル式の分離・接続可能なカップリング（接続金具）が知られている。
【０００３】
また、他のホースの接続方法として、例えば、燃料タンクに給油口に設けられたコネクターに対して燃料供給部に接続された給油ホースの一端を挿入させて給油を行う接続構造も知られている（例えば、特許文献１参照）。
【０００４】
然しながら、燃料タンクの給油口に設けられたカップリングやコネクターが、非常に狭い場所に設置されていたり、手の届き難いような場所に設置されていた場合には、カップリングの脱着操作や、ホースの脱着操作には多くの手間と時間がかかり、またコネクターに対して給油ホースの一端を接続したり、分離させる場合には、一々ホースを切断するような面倒な手間を要すると言う問題があった。
【特許文献１】実用新案登録番号第２５０１７０１号公報
【発明の開示】
【発明が解決しようとする課題】
【０００５】
この発明は、かかる従来の問題点に着目して案出されたもので、カップリングの脱着操作のし難い狭い場所や、手の届き難い場所に設置されていても、脱着操作が容易に、しかも脱着操作を確実に行うことが出来るカップリング用脱着治具を提供することを目的とするものである。
【課題を解決するための手段】
【０００６】
この発明は上記目的を達成するため、ホースの一端側に取付けられた分離・接続可能なプッシュプル式のホース側カップリングを着脱可能に連結し、前記ホース側カップリングを引っ張る方向に操作して燃料タンク側に取付けられたバルクヘッド側カップリングから分離させるカップリング用脱着治具であって、前記治具本体は、中心部に流体流通孔を備え、かつ両端にバルクヘッド側カップリングと着脱可能に連結する連結部と流体供給側の供給手段に連結する連結部とを備えた連結操作ロッドと、この連結操作ロッドの前記ホース側カップリングの外周面に着脱可能に取付け可能で、かつ前記バルクヘッド側カップリングと連結操作ロッドとの接続解除手段とで構成したことを要旨とするものである。
【０００７】
ここで、前記接続解除手段を、操作ハンドル機構、把持機構、プッシュボタン機構の何れか一つにより構成し、また前記操作ハンドル機構の一部に、該操作ハンドルのロック手段を設け、更に前記連結操作ロッドの外周面に、回転操作用の切欠部を形成することも可能である。
【発明の効果】
【０００８】
この発明は、上記のように治具本体は、中心部に流体流通孔を備え、かつ両端にバルクヘッド側カップリングと着脱可能に連結する連結部と流体供給側の供給手段に連結する連結部とを備えた連結操作ロッドと、この連結操作ロッドの前記ホース側カップリングの外周面に着脱可能に取付け可能で、かつ前記バルクヘッド側カップリングと連結操作ロッドとの接続解除手段とで構成したので、カップリングの脱着操作のし難い狭い場所や、手の届き難い場所であっても、脱着を片手等により容易に操作することが出来ると共に、確実に脱着操作を行うことが出来る効果がある。
【０００９】
また、操作ハンドルの一部に、該操作ハンドルのロック手段を設けることで、誤操作や操作ハンドルに作業員が接触してもカップリングの接続が解除されることがなく安心して使用することが出来る効果がある。
【発明を実施するための最良の形態】
【００１０】
以下、添付図面に基づきこの発明の実施の形態を説明する。
【００１１】
図１は、この発明を実施したカップリング用脱着治具の全体斜視図、図２はカップリング用脱着治具の使用状態を示す正面図、図３は図２の一部側面図を示し、このカップリング用脱着治具は、車輛や航空機等の燃料タンク１の給油口２に取付けられたバルクヘッド側カップリング３と、ホース側カップリング４とを簡単に分離させることが出来るように構成されている。
【００１２】
即ち、この発明の治具本体６は、図１〜図６に示すように、中心部に流体流通孔７ｘを備えた連結操作ロッド７と、この連結操作ロッド７のホース側カップリング４の連結側の外周面に着脱可能に取付けた接続解除手段５とで構成されている。
【００１３】
この発明の治具本体６に設けられた接続解除手段５としては、例えば、ホース側カップリング４の外周面に着脱可能で、かつ対称位置に支持プレート８ａ，８ｂを立設した一対のクランプ部材９ａ，９ｂと、前記一対のクランプ部材９ａ，９ｂの支持プレート８ａ，８ｂの上部に形成した長孔１０にピン１１を介して基端部を回転自在に連結した一対のリンク部材１２ａ，１２ｂと、このリンク部材１２ａ，１２ｂの先端側に連結ボルト１３を介して連結すると共に、前記連結操作ロッド１４の中央部に着脱可能に固定したクランプ部材１５ａ，１５ｂを支点として揺動する操作ハンドル１６とで構成されている。
【００１４】
なお、接続解除手段５は、上記のようにクランプ部材９ａ，９ｂ，支持プレート８ａ，８ｂ，リンク部材１２ａ，１２ｂ及び操作ハンドル１６等の操作ハンドル機構により構成されるものに限定されず、図示しない把持機構、プッシュボタン機構により構成することも可能である。
【００１５】
前記連結操作ロッド７の一端側７ａには、図７及び図８に示すように、前記バルクヘッド側カップリング３と着脱可能に連結する連結部１７ａが形成してあり、また他端側には、図示しない流体供給側の供給手段に連結する連結部１７ｂが形成してある。
【００１６】
また、前記一対のクランプ部材９ａ，９ｂは、図９（ａ），（ｂ），（ｃ）及び図１０（ａ），（ｂ），（ｃ）に示すように、ホース側カップリング４の円筒状に形成されたスリーブ４ａの上部を外周面から挟み込むように形成された半円弧状の二つの挟持部材１８ａ，１８ｂと、この二つの挟持部材１８ａ，１８ｂに一体的に形成された前記支持プレート８ａ，８ｂとで構成され、前記二つの挟持部材１８ａ，１８ｂの端末部には、ピンまたは連結ボルト等の締結部材１９を介して連結固定するための挿通穴２０がそれぞれ形成されている。
【００１７】
前記支持プレート８ａ，８ｂの上部に形成した長孔１０には、長孔１０に沿ってスライドするピン１１を介して図２〜図５に示すように前記一対の屈曲したリンク部材１２ａ，１２ｂの基端部が回転自在に連結され、この一対のリンク部材１２ａ，１２ｂの先端側には、ボルト１３を介して操作ハンドル１６が連結され、この操作ハンドル１６は、図１１（ａ），（ｂ）に示すように、前記連結操作ロッド１４の中央部に着脱可能に固定した一対のクランプ部材１５ａ，１５ｂにボルト２１を支点として揺動可能に連結してある。なお、クランプ部材１５ａ，１５ｂは、左右対称であるため、図１１（ａ），（ｂ）においては、一方の図は省略する。
【００１８】
なお、前記操作ハンドル１６の一部に、該操作ハンドル１６の図示しないロックピンやバンド等のロック手段を設け、誤操作や操作ハンドル１６に作業員が接触してもバルクヘッド側カップリング３とホース側カップリング４の接続が解除されるのを防止することが出来る。
【００１９】
また、前記連結操作ロッド１６の外周面に、回転操作用の切欠部２２（平面部）を形成し、連結操作ロッド７とバルクヘッド側カップリング３との組付け作業時に工具等を容易に取付けることが出来るようにしてある。
【００２０】
次に、上記のような治具本体６の操作方法について説明する。
【００２１】
上記のような治具本体６を使用する場合には、例えば、図１及び図２に示すように、燃料タンク１の給油口２に設けられたプッシュプル式のバルクヘッド側カップリング３にホース側カップリング４が連結されている場合、即ち、燃料タンク１に図示しない燃料供給源から燃料Ｗを供給している状態で、燃料の供給が完了してホース側カップリング４を分離させる場合に、ホース側カップリング４の一端側に連結操作ロッド７の一端側７ａを挿入させる。
【００２２】
するとホース側カップリング４の内部連結部に連結操作ロッド７の連結部１７ａが装着され、このような状態では、連結操作ロッド７は押し下げられた状態にあるので、長孔１０に沿ってスライドするピン１１は、長孔１０の最下端に位置し、また操作ハンドル１６は、図１及び図３の一点鎖線の位置にある。
【００２３】
そして、操作ハンドル１６を矢印方向に操作すると、リンク部材１２ａ，１２ｂを介してピン１１は長孔１０に沿って上昇し、これにより支持プレート８ａ，８ｂも上方に引き上げられ、これに伴って一対のクランプ部材９ａ，９ｂにクランプされていたスリーブ４ａも引き上げられる。これにより、分離可能なホース側カップリング４は簡単に分離されることになる。
【００２４】
また、ホース側カップリング４の接続は、前記ホース側カップリング４の一端側に連結操作ロッド７の一端側７ａを挿入させることで、スリーブ４ａが押し下げられ、バルクヘッド側カップリング３とホース側カップリング４とは相互に連結された状態になる。
【００２５】
このように、上記の治具本体６を使用することにより、バルクヘッド側カップリング３とホース側カップリング４との脱着操作のし難い狭い場所や、手の届き難い場所に設置されていても、脱着を容易に、しかも確実に脱着操作を行うことが出来るものである。
【００２６】
なお、操作ハンドル１６の一部に、該操作ハンドル１６のロック手段を設けることで、誤操作や操作ハンドル１６に作業員が接触してもカップリングの接続が解除されることがなく安心して使用することが出来る。
【００２７】
また、上述したように接続解除手段５として、操作ハンドル１６等の操作ハンドル機構の他に、図示しない把持機構またはプッシュボタン機構等を用いることにより、片手でも簡単にロック解除操作を行うことも可能である。
【図面の簡単な説明】
【００２８】
【図１】この発明を実施したカップリング用脱着治具の全体斜視図である。
【図２】この発明を実施したカップリング用脱着治具の使用状態を示す正面図である。
【図３】図２の一部側面図である。
【図４】治具本体の正面図である。
【図５】図４の平面図である。
【図６】図４の側面図である。
【図７】連結操作ロッドの正面図である。
【図８】図７の側面図である。
【図９】（ａ）は一方のクランプ部材の正面図、（ｂ）は（ａ）の側面図、（ｃ）は（ｂ）の平面図である。
【図１０】（ａ）は他方のクランプ部材の正面図、（ｂ）は（ａ）の側面図、（ｃ）は（ｂ）の平面図である。
【図１１】（ａ）は、クランプ部材の正面図、（ｂ）は（ａ）の側面図である。
【符号の説明】
【００２９】
１  燃料タンク                  ２  給油口
３  バルクヘッド側カップリング
４  ホース側カップリング      ４ａ  スリーブ
５  接続解除手段                ６  治具本体
７ｘ  流体流通孔                  ７  連結操作ロッド
７ａ  一端側                    ７ｂ  他端側
８ａ，８ｂ  支持プレート
９ａ，９ｂ  クランプ部材        １０  長孔
１１  ピン
１２ａ，１２ｂ  リンク部材      １３  連結ボルト
１４  連結操作ロッド
１５ａ，１５ｂ  クランプ部材    １６  操作ハンドル
１７ａ，１７ｂ  連結部
１８ａ，１８ｂ  挟持部材        １９  締結部材
２０  挿通穴                    ２１  ボルト
２２  回転操作用の切欠部
【図１】
2005233254.tif 000003
【図２】
2005233254.tif 000004
【図３】
2005233254.tif 000005
【図４】
2005233254.tif 000006
【図５】
2005233254.tif 000007
【図６】
2005233254.tif 000008
【図７】
2005233254.tif 000009
【図８】
2005233254.tif 000010
【図９】
2005233254.tif 000011
【図１０】
2005233254.tif 000012
【図１１】
2005233254.tif 000013